(57)【要約】【課題】多機能携帯端末の表示画面に指紋や皮脂等が付着しないようにする。【解決手段】タッチパネルを操作するタッチペン10であって、その本体部11の先端部から根本側方向に向けて切れ目12を設けて二股に形成する。この切れ目12の中間部には作動部材15を配設し、この作動部材15と連結する操作部17をその根本側に設ける。操作部17を根本側に移動させると本体部11の先端部13, 13が開放し、操作部17を先端側に移動させるとその先端部13, 13が閉鎖する。この先端部13, 13の開閉によりピンチアウト及びピンチイン操作ができる。このタッチペン10の二股の２つの先端部13, 13を本体部11と別体に形成し、それらの基端部を本体部11に回動自在に軸着し、その軸部14にはそれぞれ線状バネ14sを設備して先端部13, 13を閉鎖状態に付勢し、操作部17を根本側に移動させることにより本体部11の先端部13, 13を開放できる。【選択図】図１
0003175877.tif 000002
【実用新案登録請求の範囲】
【請求項１】
スマートフォン等の多機能携帯端末の画面用タッチペンにおいて、
このタッチペンの本体部(11)の先端部(13, 13)から根本側方向に向けて適宜長さの切れ目(12)を設けて二股に形成し、
この切れ目(12)の中間部に作動部材(25)を配設し、
このタッチペンを握った手の指によりこの作動部材(25)を根本側又は先端側に移動させることにより本体部(11)の先端部(13, 13)が開放し、作動部材(25)を先端側又は根本側に移動させることにより本体部(11)の先端部(13, 13)が閉鎖し、
これによりタッチペンの先端部(13, 13)を開閉させることによってピンチアウト又はピンチイン操作ができることを特徴とする多機能携帯端末の画面用タッチペン。
【請求項２】
前記タッチペンの本体部(11)を合成樹脂製素材から形成し、作動部材(25)を根本側又は先端側に移動させると先端部(13, 13)が開放し、作動部材(25)を先端側又は根本側に移動させると本体部(11)の素材が有する復元力により先端部(13, 13)が閉鎖することを特徴とする請求項１に記載の多機能携帯端末の画面用タッチペン。
【請求項３】
スマートフォン等の多機能携帯端末の画面用タッチペンにおいて、
このタッチペンの本体部(11)の先端部(13, 13)から根本側方向に向けて適宜長さの切れ目(12)を設けて二股に形成し、
この切れ目(12)の中間部には作動部材(15)を配設し、この作動部材(15)と連結部材(16)を介して連結する操作部(17)をその根本側に設け、
このタッチペンを握った手の指により操作部(17)を根本側又は先端側に移動させることにより本体部(11)の先端部(13, 13)が開放し、操作部(17)を先端側又は根本側に移動させることにより本体部(11)の先端部(13, 13)が閉鎖し、
これによりタッチペンの先端部(13, 13)を開閉させることによってピンチアウト又はピンチイン操作ができることを特徴とする多機能携帯端末の画面用タッチペン。
【請求項４】
前記タッチペンの二股の２つの先端部(13, 13)を本体部(11)と別体に形成し、
２つの先端部(13, 13)の基端部を本体部(11)に回動自在に軸着し、その軸部(14)にはそれぞれバネ部材を設備してそれぞれの先端部(13, 13)が閉鎖状態に付勢され、前記操作部(17)を根本側又は先端側に移動させることにより本体部(11)の先端部(13, 13)が開放することを特徴とする請求項３に記載の多機能携帯端末の画面用タッチペン。
【請求項５】
前記操作部(17)を先端側方向又は根本側方向に付勢するコイルバネ(19)等の弾撥部材を内設したことを特徴とする請求項４に記載の多機能携帯端末の画面用タッチペン。
【考案の詳細な説明】
【技術分野】
【０００１】
本考案は、スマートフォン等の多機能携帯端末のタッチパネル形式の表示画面を操作するためのタッチペンに関するものである。
【背景技術】
【０００２】
現在、携帯電話に代わり、音声通話や電子メールによる通信機能は勿論のこと、パーソナルコンピュータ（ＰＣ）の機能を有し、インターネット接続機能、音楽、動画、ゲーム、及び個人情報管理等々について多様なフォーマットに対応する各種アプリケーション・プログラムもインストールできる多機能携帯電話（以下、「スマートフォン」という。）やタブレットＰＣが爆発的な人気を博している。
【０００３】
このスマートフォン等の表示画面は、タッチパネル方式で手の指によって画面にタッチして操作を行うものである。
その基本操作としては、１本の指で行う「タップ」、「ダブルタップ」、「フリック」及び「ドラッグ」等を挙げることができる。
また、２本の指で、例えば親指（第一指）と人差し指（第二指）を使用して行う「ピンチアウト」や「ピンチイン」の操作を挙げることができる。
【０００４】
タップというのは、ＰＣのマウスのクリックに対応し、１本の指先で軽く触れる又は叩く操作を意味し、ダブルタップは、前記動作を２回行う操作で、ＰＣのマウスでいうところのダブルクリックに対応するものである。
また、フリックというのは、画面を指先で弾くように素早く動かす操作であり、ＰＣでいうところのスクロールに対応する。
他方、２本の指で操作するピンチアウトは、例えば親指と人差し指を揃えて画面にタッチし、その間隔を広げて画面表示を拡大する操作のことであり、ピンチインという操作は、親指と人差し指の間隔を狭めるように移動することにより画面表示を縮小する操作のことである。
【０００５】
上記の各種の操作は、全て指先を利用して行うのが普通であるが、この指先での操作によると、画面に指紋や手垢、皮脂等が付着して表示画面が汚れてしまい、画面表示が見難くなるという問題があった。
この問題を排除するために、タッチペンが従来より利用されて来たのである。
このタッチペンというのは、通常のペンのように手によって保持し、その導電性素材からなる先端を画面にタッチして各種操作を行うものである。
【０００６】
しかしながら、このタッチペンによってタップ、ダブルタップ、及びフリック等の操作は簡単に行うことができるのであるが、ピンチアウト及びピンチインの操作は行うことができなかったのである。
つまり、従来のタッチペンは１つの先端しかなく、マルチタッチは不可能であったからである。
【考案の概要】
【考案が解決しようとする課題】
【０００７】
そこで、本考案においては、上記のようなピンチアウトやピンチインのような２本の指で操作するマルチタッチ操作に際しても、１本のタッチペンによって行うことができるようにすることがその課題である。
また、その課題を解決するために、より多くの解決手段を提供することもその課題となる。
【課題を解決するための手段】
【０００８】
上記課題を解決するために、本考案の第１のものは、スマートフォン等の多機能携帯端末の画面用タッチペンにおいて、このタッチペンの本体部の先端部から根本側方向に向けて適宜長さの切れ目を設けて二股に形成し、この切れ目の中間部に作動部材を配設し、
このタッチペンを握った手の指によりこの作動部材を根本側又は先端側に移動させることにより本体部の先端部が開放し、作動部材を先端側又は根本側に移動させることにより本体部の先端部が閉鎖し、これによりタッチペンの先端部を開閉させることによってピンチアウト又はピンチイン操作ができることを特徴とする多機能携帯端末の画面用タッチペンである。
【０００９】
本考案の第２のものは、上記第１の考案において、前記タッチペンの本体部を合成樹脂製素材から形成し、作動部材を根本側又は先端側に移動させると先端部が開放し、作動部材を先端側又は根本側に移動させると本体部の素材が有する復元力により先端部が閉鎖することを特徴とする多機能携帯端末の画面用タッチペンである。
【００１０】
本考案の第３のものは、スマートフォン等の多機能携帯端末の画面用タッチペンにおいて、このタッチペンの本体部の先端部から根本側方向に向けて適宜長さの切れ目を設けて二股に形成し、この切れ目の中間部には作動部材を配設し、この作動部材と連結部材を介して連結する操作部をその根本側に設け、このタッチペンを握った手の指により操作部を根本側又は先端側に移動させることにより本体部の先端部が開放し、操作部を先端側又は根本側に移動させることにより本体部の先端部が閉鎖し、これによりタッチペンの先端部を開閉させることによってピンチアウト又はピンチイン操作ができることを特徴とする多機能携帯端末の画面用タッチペンである。
【００１１】
本考案の第４のものは、上記第３の考案において、前記タッチペンの二股の２つの先端部を本体部と別体に形成し、２つの先端部の基端部を本体部に回動自在に軸着し、その軸部にはそれぞれバネ部材を設備してそれぞれの先端部が閉鎖状態に付勢され、前記操作部を根本側又は先端側に移動させることにより本体部の先端部が開放することを特徴とする多機能携帯端末の画面用タッチペンである。
【００１２】
本考案の第５のものは、上記第４の考案において、前記操作部を先端側方向又は根本側方向に付勢するコイルバネ等の弾撥部材を内設したことを特徴とする多機能携帯端末の画面用タッチペンである。
【考案の効果】
【００１３】
本考案の第１のものにおいては、タッチペンの本体部の先端部から根本側方向に向けて適宜長さの切れ目を設けて二股に形成しており、この切れ目の中間部に作動部材を配設しているために、このタッチペンを握った手の指、例えば人差し指によりこの作動部材を根本側又は先端側に移動させることにより本体部の先端部が開放することとなる。
他方、人差し指で作動部材を先端側又は根本側に移動させることにより本体部の先端部が閉鎖することとなる。
このように作動部材を根本側にそして先端側に、或いは先端側にそして根本側に移動させることによってタッチペンの先端部を開閉させることができ、これによりピンチアウト又はピンチイン操作ができるのである。
【００１４】
これにより、表示画面に指先を接触させることなく、画面操作を行うことができ、表示画面に指紋、手垢、皮脂等を付着させることがなくなり、表示画面を常に美しく維持することができるのである。
尚、１つの先端で操作可能な、タップやダブルタップ等の操作は、本体部の何れか一方の先端部で行うことができ、この場合にも、表示画面上に指先の指紋や皮脂等が付着するという問題は生じない。
【００１５】
本考案の第２のものにおいては、タッチペンの本体部を合成樹脂製素材から形成し、作動部材を根本側に又は先端側に移動させると先端部が開放し、作動部材を先端側に又は根本側に移動させると本体部の素材が有する復元力により先端部が閉鎖するようにしたものであり、本体部の材質を特定し、その材質の性質を利用して本体部の２つの先端部を開閉自在としたものである。
その効果は、上記第１の考案と同じである。
【００１６】
本考案の第３のものにおいては、タッチペンの本体部の先端部から根本側方向に向けて適宜長さの切れ目を設けて二股に形成し、この切れ目の中間部には作動部材を配設し、この作動部材と連結部材を介して連結する操作部をその根本側に設けたものである。
そして、このタッチペンを握った手の指により操作部を根本側に又は先端側に移動させることにより本体部の先端部が開放し、操作部を先端側に又は根本側に移動させることによりタッチペンの先端部が閉鎖し、これによりタッチペンの先端部を開閉させることによってピンチアウト又はピンチイン操作ができるようにしたものである。
【００１７】
この第３の考案においては、上記第１の考案と相違する点は、作動部材を作動するための操作部をその根本側に更に設けた構成としたことである。
操作部は、作動部材と連結部材を介して連結されており、操作部を根本側又は先端側に移動させると作動部材も同じ方向に移動できる。
これにより、操作部の位置を適宜必要に応じて変更することができることとなるのである。
【００１８】
勿論、作動部材自体の配設位置を適宜変更することにより作動部材の位置を変更することもできるのであるが、この第３の考案においては切れ目の配設と作動部材の配設位置とを一定にした状態で、操作部の位置を適宜変更することができることとなるのである。
この考案の効果に関しても、上記第１及び第２の考案と同じである。
【００１９】
本考案の第４のものにおいては、タッチペンの二股の２つの先端部を本体部と別体に形成して２つの先端部の基端部を本体部に回動自在に軸着し、その軸部にはそれぞれ線状バネ等のバネ部材を設備してそれぞれの先端部を閉鎖状態に付勢したものである。
これにより操作部を根本側に又は先端側に移動させることにより本体部の先端部が開放し、操作部を先端側に又は根本側に移動させることにより本体部の先端部が閉鎖するである。
このように２つの先端部と本体部とを別体に形成して相互に軸着し、その軸着部分にバネ部材を配設することにより、より確実に２つの先端部の開閉動作を実現させることができることとなるのである。
【００２０】
本考案の第５のものにおいては、上記第４の考案に加えて、操作部を先端側方向に又は根本側方向に付勢するコイルバネ等の弾撥部材を更に内設したものであり、これにより、操作部が常に元の位置（先端側位置又は根本側位置）に容易に復帰するように、即ち、２つの先端部が閉鎖する状態となるように付勢されるように構成したものである。
この考案においても、上記各考案と同じ効果を発揮し、表示画面に指先の汚れ等が付着することがなくなるのである。
【図面の簡単な説明】
【００２１】
【図１】本考案の多機能携帯端末の画面用タッチペンに係る第１実施形態の概念図である。
【図２】本考案の多機能携帯端末の画面用タッチペンに係る第２実施形態の概念図である。
【考案を実施するための形態】
【００２２】
以下、添付の図面と共に、本考案の実施形態について説明する。
図１は、本考案の多機能携帯端末の画面用タッチペン（以下、単に「タッチペン」という。）に係る第１実施形態の概念図である。
このタッチペン１０は、先端が先細で棒状の合成樹脂製の本体部１１において、その先端部を二股に分割するように切れ目１２が設けられている。
【００２３】
切れ目１２は、先端部から根本部側に向かって、本体部１１の軸芯を通る平面に沿って、本体部１１の略中央部位にまで形成されている。
この切れ目１２によって、本体部１１の先端部が二股に形成され、２つの先端部１３、１３が形成されることとなる。
【００２４】
それぞれの先端部１３の尖端１３ｔは、従来のタッチペンと同様に導電性素材から形成されている。
これら２つの先端部１３、１３は、それぞれ本体部１１とは別体に形成されおり、その基端部で本体部１１と軸着されている。
そして、この軸着部の軸部１４には、バネ部材である線状バネ１４ｓが巻回されており、それぞれの先端部１３が相互に閉鎖する状態に付勢されている。
【００２５】
切れ目１２の略中央部分先端側の内部には、作動部材１５が内設されている。
この作動部材１５は略球体形状のものからなり、この作動部材１５が配設されている切れ目１２の部分は、略円錐形形状に刳り貫かれたガイド孔部１８を有している。
この作動部材１５には、線条材１６が連結し、この線条材１６の根本側端部には操作部１７が連結されている。線条材１６は伸縮しない剛性のものから形成されている。この線条材１６が作動部材１５と操作部１７を連結する連結部材となる。
【００２６】
操作部１７は、本体部１１の長手方向に往復動可能に設けられ、この操作部１７を根本側方向に移動させると、作動部材１５も根本側に移動し、逆に操作部１７を先端側方向に移動させると作動部材１５も先端側に移動する。
これにより、作動部材１５が根本側に移動すると、切れ目１２に沿って形成されている円錐形形状に刳り貫かれたガイド孔部１８の内部で前記作動部材１５が根本側方向に移行するために、２つの先端部１３、１３が相互に開放することとなるのである。
【００２７】
この第１実施形態では、更に、操作部１７の根本側に弾撥部材としてコイルバネ１９を内設している。
このコイルバネ１９により操作部１７は、常に先端側方向に付勢され、作動部材１５を常に先端側に付勢する状態としている。つまり、先端部１３、１３が開放しない状態に維持しているのである。
【００２８】
この第１実施形態に係るタッチペンの使用方法は、鉛筆やペンを保持するように、片手で握って保持し、スマートフォン等の表示画面をタップ、ダブルタップ或いはフリックする際には、何れかの先端部１３の尖端１３ｔを画面に当接して操作することができる。
他方、ピンチアウトやピンチイン操作を行う際には、タッチペン１０を手で握ったままで、例えば人差し指の側面を利用して操作部１７を根本側方向又は先端側方向に移動させることにより、先端部１３、１３を開放し又は閉鎖して操作をすることができることとなるのである。
【００２９】
ここで、作動部材、連結部材及び操作部は、これらを根本側に移動させることにより両先端部を開放できるようにしたが、これと全く同じ構成で、作動部、連結部材及び操作部を先端側に移動させることにより両先端部を開放させることもできる。
即ち、円錐形形状に刳り貫かれたガイド孔部１８を左右対称に設けるのである。そして、操作部を先端側に移動させることにより両先端部を開放させ、逆に根本側に移動させることにより両先端部を閉鎖させることができる。
この際に、コイルバネ１９の位置も操作部の図１中左側に配置して、常に根本側に付勢する状態に配設すればよいのである。
【００３０】
図２は、本考案のタッチペンの第２実施形態を図示する概念図である。
この第２実施形態は、上記第１の実施形態よりもより簡易な構成から成るものである。
この第２実施形態に係るタッチペン２０は、その先端部が先細の棒状体からなる本体部を弾力性を有する合成樹脂から形成したものである。
【００３１】
本体部１１の先端部には、切れ目１２を設け、その先端部を二股に形成し、２つの先端部１３、１３を形成している点は、上記第１実施形態と同様である。
但し、本第２実施形態においては、本体部と先端部とが一体的に形成され、操作部及び連結部材としての線条材の存在がない。
即ち、作動部材２５をそれ自体操作部としているのである。
【００３２】
この作動部材２５は、略喫（くさび）型を有し、即ち三角柱形状の一側辺を切れ目１２の方向に合致するように配備したものである。
この作動部材２５が配備された切れ目１２の適宜部位には、同様の形態に刳り貫かれた状態のガイド孔部１８が形成されている。
【００３３】
これにより、作動部材２５の両端部に設けた円形端部２５ｅを根本側方向に移動させると、切れ目１２が開放され、その結果２つの先端部１３、１３が相互に開放することとなる。
他方、前記開放状態から、今度は作動部材２５を先端側方向に移動させると、開放された２つの先端部１３、１３は相互に閉鎖することとなるのである。
【００３４】
この第２実施形態においては、その構成が極めて簡素ではあるが、本体部１１の素材の復元力を利用して、直接作動部材２５を操作することにより、つまり、この作動部材２５自体が操作部の役割を担うことによって、先端部１３，１３の開閉動作を操作することができることとなるのである。
これにより、ピンチアウト及びピンチイン操作が実行され、スマートフォン等の表示画面には指先が接触することなく、全ての操作が可能となるのである。
【００３５】
ここで、作動部材は、これを根本側に移動させることにより両先端部を開放できるようにしたが、これと全く逆方向に、作動部材を先端側に移動させることにより両先端部を開放させることもできる。
即ち、作動部材と同様の形状に刳り貫かれたガイド孔部１８を上記第２実施形態の場合と左右対称に設けるのである。そして、作動部材を先端側に移動させることにより両先端部を開放させ、逆に根本側に移動させることにより両先端部を閉鎖させることもできるのである。
この事情は、前記第１実施形態の場合と全く同様である。
【００３６】
以上、本考案の実施形態について説明したが、本考案においては以下の通り種々設計変更することができる。
本体部の長さ及び太さ並びに形状は自由に設計変更することができる。
本体部の断面形状も、円形、楕円形、略四角形形状等々、種々の形態に設計変更することができる。
【００３７】
切れ目の長さも必要に応じて適宜設定することができる。
第１実施形態の作動部材は球体としたが、これを第２実施形態のような喫型形状にすることもできる。
第２実施形態においても作動部材は喫型でなく、球体で実施することもできる。
ガイド孔部の形態もこれら作動部材の形状に合致するように設計すればよい。
上記した通り、作動部材の形状とガイド孔部の形状を左右対称にすることにより、操作部又は作動部材の移動方向を全く逆にして両先端部の開閉を行うことができる。
【００３８】
第１実施形態における線条材も帯状部材から形成することもできる。要は、作動部材と操作部とを連結し、操作部の動きが作動部材に伝達できればよいものである。
操作部の上端部に摘み部を形成するのも自由である。
操作部を付勢するコイルバネはこれを設けずに実施することもできる。
先端部の根本部の軸着部に設けた線状バネも帯状又は板状バネを使用することができる。
【００３９】
尚、添付の図面は、それぞれ概念図であり、第１及び第２実施形態それぞれの作動部材は、外部に飛び出さないような構造を有している。
即ち、切れ目の中間部分にこれら作動部材が配設されるガイド孔部が形成されており、このガイド孔部内を作動部材が往復動できるように形成されているために、これら作動部材が外部に飛び出す恐れは全くないものである。
【００４０】
以上、本考案は、極めて簡易な構成により、片方の手で握って使用でき、タップ等の操作ばかりで無く、マルチタッチ操作が可能となり且つまた画面に指紋や皮脂等の付着も完全に抑えることができる多機能携帯端末の画面用タッチペンを提供することができたものである。
【符号の説明】
【００４１】
１０、２０  多機能携帯端末の画面用タッチペン
１１  本体部
１２  切れ目
１３  先端部
１３ｔ  尖端
１４  軸部
１４ｓ  線状バネ（バネ部材）
１５、２５  作動部材
１６  線条材（連結部材）
１７  操作部
１８  ガイド孔部
１９  コイルバネ（弾撥部材）
【図１】
0003175877.tif 000003
【図２】
0003175877.tif 000004